(57)【要約】【課題】監視員が受変電設備を操作する際の監視員の負担や操作ミスを減少させることができる支援情報提供装置、監視制御装置、操作支援方法、及びプログラムを提供することである。【解決手段】実施形態の支援情報提供装置は、支援情報記憶部と、出力情報選択部とを持つ。支援情報記憶部は、複数の受変電設備のいずれかにおいて発生したトラブルの情報と、トラブルの発生に至るまでの受変電設備に対する操作または受変電設備の運転状態の履歴を示すトラブルログデータとを含む複数のトラブルデータを記憶する。出力情報選択部は、支援情報記憶部に記憶されている複数のトラブルデータから、受変電設備を構成する機器の中から選択された操作対象の機器に対する操作がトラブルログデータに設定されているトラブルデータを選択し、選択したトラブルデータを出力する。【選択図】図３
2016025749.tif 000002
【特許請求の範囲】
【請求項１】
複数の受変電設備のいずれかにおいて発生したトラブルの情報と、前記トラブルの発生に至るまでの前記受変電設備に対する操作または前記受変電設備の運転状態の履歴を示すトラブルログデータとを含んだ複数のトラブルデータを記憶する支援情報記憶部と、
前記支援情報記憶部に記憶されている複数の前記トラブルデータから、受変電設備を構成する機器の中から選択された操作対象の前記機器に対する操作が前記トラブルログデータに設定されている前記トラブルデータを選択し、選択した前記トラブルデータを出力する出力情報選択部と、
を備える支援情報提供装置。
【請求項２】
前記出力情報選択部は、複数の前記トラブルデータから、操作対象の前記機器が属する前記受変電設備または操作対象の前記機器が属する前記受変電設備と類似する他の受変電設備において発生したトラブルの情報を含み、かつ、前記操作が前記トラブルログデータに設定されている前記トラブルデータを選択する、
請求項１に記載の支援情報提供装置。
【請求項３】
前記トラブルデータは、トラブルの重大度の情報を含み、
前記出力情報選択部は、前記重大度に基づいて、出力する前記トラブルデータを選択する、
請求項１または請求項２に記載の支援情報提供装置。
【請求項４】
前記出力情報選択部は、選択した前記トラブルデータから、操作対象の機器が含まれる前記受変電設備に対して行われた操作または前記受変電設備の運転状態の履歴を示すログデータと類似する前記トラブルログデータを含んだ前記トラブルデータを選択する、
請求項１から請求項３のいずれか１項に記載の支援情報提供装置。
【請求項５】
複数の前記受変電設備それぞれの設備構成を示す情報に基づいて、操作対象の前記機器が属する前記受変電設備と類似する他の受変電設備を選択する類似設備選択部をさらに備える、
請求項１から請求項４のいずれか１項に記載の支援情報提供装置。
【請求項６】
前記支援情報記憶部は、機器に対する操作と、前記操作の実行前に完了していなければならない操作、あるいは、前記操作の実行時にとっていなければならない前記受変電設備の動作状態を示す操作条件と対応付けて記憶し、
前記出力情報選択部は、操作対象の前記機器に対する前記操作に対応付けられた前記操作条件を前記支援情報記憶部から読み出し、読み出した前記操作条件を出力する、
請求項１から請求項５のいずれか１項に記載の支援情報提供装置。
【請求項７】
受変電設備を構成する機器の中から選択された操作対象の機器に対して実行され得る操作を予測する操作予測部と、
複数の受変電設備のいずれかにおいて発生したトラブルの情報と、前記トラブルの発生に至るまでの前記受変電設備に対する操作または前記受変電設備の運転状態の履歴を示すトラブルログデータとを含む複数のトラブルデータから選択された、前記操作予測部により予測された前記操作が前記トラブルログデータに設定されている前記トラブルデータを出力する出力部と、
を備える監視制御装置。
【請求項８】
前記出力部は、複数の前記トラブルデータから選択された、操作対象の前記機器が属する前記受変電設備または操作対象の前記機器が属する前記受変電設備と類似する他の受変電設備において発生したトラブルに対応し、かつ、予測された前記操作が前記トラブルログデータに設定されている前記トラブルデータを出力する、
ことを特徴とする請求項７に記載の監視制御装置。
【請求項９】
前記出力部は、機器に対する操作の実行前に完了していなければならない操作、あるいは、機器に対する前記操作の実行時にとっていなければならない前記受変電設備の動作状態を示す操作条件の中から、予測された前記操作に対応して選択された前記操作条件を出力する、
請求項７または請求項８に記載の監視制御装置。
【請求項１０】
支援情報提供装置が実行する操作支援方法であって、
複数の受変電設備のいずれかにおいて発生したトラブルの情報と、前記トラブルの発生に至るまでの前記受変電設備に対する操作または前記受変電設備の運転状態の履歴を示すトラブルログデータとを含む複数のトラブルデータから、受変電設備を構成する機器の中から選択された操作対象の前記機器に対する操作が前記トラブルログデータに設定されている前記トラブルデータを選択する出力情報選択ステップと、
前記出力情報選択ステップにおいて選択した前記トラブルデータを出力する選択情報出力ステップと、
を有する操作支援方法。
【請求項１１】
監視制御装置が実行する操作支援方法であって、
受変電設備を構成する機器の中から選択された操作対象の機器に対して実行され得る操作を予測する操作予測ステップと、
複数の受変電設備のいずれかにおいて発生したトラブルの情報と、前記トラブルの発生に至るまでの前記受変電設備に対する操作または前記受変電設備の運転状態の履歴を示すトラブルログデータとを含む複数のトラブルデータから選択された、前記操作予測ステップにおいて予測された前記操作が前記トラブルログデータに設定されている前記トラブルデータを出力する出力ステップと、
を備える操作支援方法。
【請求項１２】
コンピュータに、
複数の受変電設備のいずれかにおいて発生したトラブルの情報と、前記トラブルの発生に至るまでの前記受変電設備に対する操作または前記受変電設備の運転状態の履歴を示すトラブルログデータとを含む複数のトラブルデータから、受変電設備を構成する機器の中から選択された操作対象の前記機器に対する操作が前記トラブルログデータに設定されている前記トラブルデータを選択する出力情報選択ステップと、
前記出力情報選択ステップにおいて選択した前記トラブルデータを出力する選択情報出力ステップと、
を実行させるプログラム。
【請求項１３】
コンピュータに、
受変電設備を構成する機器の中から選択された操作対象の機器に対して実行され得る操作を予測する操作予測ステップと、
複数の受変電設備のいずれかにおいて発生したトラブルの情報と、前記トラブルの発生に至るまでの前記受変電設備に対する操作または前記受変電設備の運転状態の履歴を示すトラブルログデータとを含む複数のトラブルデータから選択された、前記操作予測ステップにおいて予測された前記操作が前記トラブルログデータに設定されている前記トラブルデータを出力する出力ステップと、
を実行させるプログラム。
【発明の詳細な説明】
【技術分野】
【０００１】
本発明の実施形態は、支援情報提供装置、監視制御装置、操作支援方法、及びプログラムに関する。
【背景技術】
【０００２】
現在、電力は人々の生活を支えるために欠かすことのできないものとなっている。大きな電力を使用する施設や電車などへは常に、安定した供給が必要である。電力の安定供給のために、受変電設備の監視や制御といった作業の重要性が増している。
【０００３】
受変電設備の監視制御に必要な情報は、現場の機器から離れた監視室に集約される。監視室に備えられた中央監視制御装置には、集約された情報がリアルタイムで表示される。この中央監視制御装置からは、各受変電設備の機器に対する遠隔操作も行われる。近年では受変電設備の高機能化、分散監視などに伴い、中央監視制御装置による監視制御対象の項目が増加する傾向にある。そのため、受変電設備を操作する際の監視員の負担や操作ミスが増加する可能性があった。
【先行技術文献】
【特許文献】
【０００４】
【特許文献１】特開平１１−３２７６２７号公報
【発明の概要】
【発明が解決しようとする課題】
【０００５】
本発明が解決しようとする課題は、監視員が受変電設備を操作する際の監視員の負担や操作ミスを減少させることができる支援情報提供装置、監視制御装置、操作支援方法、及びプログラムを提供することである。
【課題を解決するための手段】
【０００６】
実施形態の支援情報提供装置は、支援情報記憶部と、出力情報選択部とを持つ。支援情報記憶部は、複数の受変電設備のいずれかにおいて発生したトラブルの情報と、トラブルの発生に至るまでの受変電設備に対する操作または受変電設備の運転状態の履歴を示すトラブルログデータとを含む複数のトラブルデータを記憶する。出力情報選択部は、支援情報記憶部に記憶されている複数のトラブルデータから、受変電設備を構成する機器の中から選択された操作対象の機器に対する操作がトラブルログデータに設定されているトラブルデータを選択し、選択したトラブルデータを出力する。
【図面の簡単な説明】
【０００７】
【図１】実施形態の監視制御システムを示す構成図。
【図２】実施形態の監視制御装置を示す機能ブロック図。
【図３】実施形態の支援情報提供装置を示す機能ブロック図。
【図４】実施形態の監視制御装置が表示する受変電設備の系統図。
【図５】実施形態の監視制御装置が表示する受変電設備の系統図。
【図６】実施形態の監視制御装置が表示する受変電設備の系統図。
【図７】実施形態のトラブルデータを示す図。
【図８】実施形態の操作条件データを示す図。
【図９】実施形態の監視制御システムの処理を示すフロー図。
【図１０】実施形態の監視制御装置が表示する支援情報を示す図。
【発明を実施するための形態】
【０００８】
以下、実施形態の支援情報提供装置、監視制御装置、操作支援方法、及びプログラムを、図面を参照して説明する。
図１は、実施形態の監視制御システムを示す構成図である。監視制御システムは、監視制御装置１と、支援情報提供装置５とを備えて構成される。同図においては、３つの中央指令室Ａ、Ｂ、Ｃのそれぞれに監視制御装置１が設置されている場合を例に示しているが、監視制御システムが監視制御装置１を１台のみ備える構成でもよい。監視制御装置１と支援情報提供装置５とは、クラウドネットワークなどの通信ネットワーク９により接続される。監視制御装置１は、遠隔で受変電設備３の監視及び制御を行う。以下では、中央指令室Ａ、Ｂ、Ｃに設置されている監視制御装置１をそれぞれ監視制御装置１ａ、１ｂ、１ｃと記載し、監視制御装置１ａ、１ｂ、１ｃが監視制御対象とする受変電設備３をそれぞれ、受変電設備３ａ、３ｂ、３ｃと記載する。受変電設備３ａ、３ｂ、３ｃは、それぞれ異なる企業等の設備でもよい。
【０００９】
監視員が中央指令室の監視制御装置１から受変電設備３を遠隔操作する際に、操作ミスを犯してしまうと何らかのトラブルが発生する原因となり得る。そこで、監視制御装置１は、インターロックと呼ばれる条件がすべて整わないと操作ができないようにして、トラブルの発生を防いでいる。しかし、インターロックの条件自体に設定ミスがあった場合や、インターロックの条件を満たしているが、ある特定の事象が発生している場合などにはトラブルが発生する場合がある。また、機器や計器の故障に起因して、実際にはインターロックの条件が満たされていないにもかかわらず、条件を満たしていると判断される場合もある。そこで、支援情報提供装置５は、監視員が受変電設備３に対して操作を行う際に、その操作を支援するための操作支援情報を監視制御装置１に表示させる。操作支援情報には、注意喚起の情報やインターロックの条件がある。注意喚起の情報は、過去に操作対象の受変電設備３または操作対象の受変電設備３に類似した他の受変電設備３において同様の操作を行った際に発生したトラブルに関する情報を含む。インターロックの条件は、操作の実行前に完了していなければならない１以上の操作や、操作の実行時に操作対象の受変電設備３を構成する機器がとっていなければならない動作状態などを示す。監視員は、表示された操作支援情報に基づいて、インターロックの条件を確認するとともに、注意が喚起されている内容を確認する。これにより、受変電設備３を操作するときの監視員の負荷や、操作に伴って発生するトラブルを減少させることができる。
【００１０】
図２は、監視制御装置１の構成を示す機能ブロック図であり、本実施形態と関係する機能ブロックのみを抽出して示してある。同図に示すように監視制御装置１は、監視情報受信部１１と、ログ記憶部１２と、ログ管理部１３と、操作入力部１４と、制御部１５と、通信部１６と、表示部１７とを備えて構成される。
【００１１】
監視情報受信部１１は、受変電設備３から運転状態に関する通知を受信する。運転状態は、例えば、受変電設備３を構成する各機器の動作状態や、受変電設備３に備えられた各計器による計測値などを含む。
【００１２】
ログ記憶部１２は、受変電設備３に対する操作または受変電設備３の運転状態の履歴を示すログデータを記憶する。ログデータは、時系列のイベントデータからなる。イベントデータは、監視情報受信部１１が受信した通知が示す受変電設備３の運転状態と、通知を受信した日時とを含むデータ、あるいは、操作入力部１４により入力された操作と操作を行った日時とを含むデータである。ログ管理部１３は、ログ記憶部１２に記憶されているログデータにイベントデータを書き込む。操作入力部１４は、例えばキーやボタンであり、監視員が操作を入力するユーザインタフェースである。
【００１３】
制御部１５は、表示制御部１５１と、操作予測部１５２と、操作実行部１５３とを備える。表示制御部１５１は、受変電設備３の各機器の接続を示す系統図と、各機器の動作状態を表示部１７に表示させる。また、表示制御部１５１は、支援情報提供装置５から受信した操作支援情報を表示部１７に表示させる。操作予測部１５２は、受変電設備３を構成する機器の中から監視員が操作入力部１４により選択した操作対象の機器に対して実行され得る操作を予測し、支援情報提供装置５に通知する。操作実行部１５３は、監視員が指示した操作を実行する。
【００１４】
通信部１６は、通信ネットワーク９を介して支援情報提供装置５とデータを送受信する。表示部１７は、ディスプレイであり、情報を表示する。表示部１７がタッチパネルである場合、操作入力部１４はタッチパネルに配されたタッチセンサである。表示部１７は、操作支援情報を出力する出力部の一例である。
【００１５】
図３は、支援情報提供装置５の構成を示す機能ブロック図であり、本実施形態と関係する機能ブロックのみを抽出して示してある。同図に示すように支援情報提供装置５は、通信部５１と、支援情報記憶部５２と、支援情報提供部５３とを備えて構成される。
【００１６】
通信部５１は、通信ネットワーク９を介して監視制御装置１とデータを送受信する。支援情報記憶部５２は、トラブルデータ、操作条件データ、及び受変電設備構成データを記憶する。トラブルデータは、過去にいずれかの受変電設備３において発生したトラブルの内容と、トラブルが発生した受変電設備３を特定する情報と、トラブルの重大度と、トラブルログデータとを含む。トラブルログデータは、トラブルの発生に至ったときのログデータである。操作条件データは、操作と、その操作のインターロック条件とを対応付けた情報である。受変電設備構成データは、受変電設備３の系統数、各系統を構成する機器、各機器の種類、機器間の接続関係などの設備構成を示す。
【００１７】
支援情報提供部５３は、類似設備選択部５３１と、出力情報選択部５３２とを備える。類似設備選択部５３１は、操作対象の機器が属する受変電設備３と類似する他の受変電設備３を選択する。出力情報選択部５３２は、監視制御装置１の操作予測部１５２が予測した操作を支援するための操作支援情報を選択する。出力情報選択部５３２は、支援情報記憶部５２が記憶するトラブルデータの中から、監視制御装置１に表示させるトラブルデータを選択する。さらに、出力情報選択部５３２は、支援情報記憶部５２が記憶する操作条件データから、監視制御装置１の操作予測部１５２が予測した操作に対応したインターロック条件を読み出す。出力情報選択部５３２は、選択したトラブルデータ及び予測した操作に対応したインターロック条件を含む操作支援情報を監視制御装置１に通知する。
【００１８】
図４から図６はそれぞれ、中央指令室Ａ〜Ｃの監視制御装置１が表示する監視制御対象の受変電設備３の系統図である。中央指令室Ａが監視制御対象とする受変電設備３ａは、系統１及び系統２の２系統からなり、監視制御装置１ａは、図４に示すように系統１の系統図を表示する。中央指令室Ｂが監視制御対象とする受変電設備３ｂは、系統１〜系統３の３系統からなり、監視制御装置１ｂは、図５に示すように系統１の系統図を表示する。中央指令室Ｃが監視制御対象とする受変電設備３ｃは、系統１及び系統２の２系統からなり、監視制御装置１ｃは、図６に示すように系統１の系統図を表示する。
【００１９】
受変電設備３を構成する機器には、遮断器、断路器、変圧器、発電機、計器用変圧変流器（ＶＣＴまたはＭＯＦ）などがある。画面の上部に表示される機器ほど電力会社の送電線に近い上位であり、下部に表示される機器ほど下位である。図４から図６において、監視制御装置１は、系統図に、各機器の動作状態を付加して表示している。同図では、輪郭が太い実線の機器は稼働中を示しており、輪郭が点線の機器は停止中を示している。監視制御装置１は、各機器を表す画像に対応付けて、機器の番号や名称などの機器識別情報を表示してもよい。
【００２０】
図７は、支援情報提供装置５の支援情報記憶部５２に記憶されるトラブルデータの例を示す図である。トラブルデータは、過去に発生したトラブルの内容と、トラブルが発生した受変電設備３あるいは受変電設備３の系統と、トラブルの重大度と、注意事項と、トラブルログデータとを含む。トラブルの内容には、トラブルの題目や、そのトラブル発生時に観察された現象、トラブルの原因などが含まれる。
【００２１】
図８は、支援情報提供装置５の支援情報記憶部５２に記憶される操作条件データを示す図である。操作条件データは、操作とインターロック条件の対応を示す。同図に示す操作条件データには、機器ＣをＯＦＦにする操作を行う場合、機器ＡをＯＮにする操作と、機器ＢをＯＦＦにする操作とが実行済みであること（あるいは、機器Ａの状態がＯＮ、かつ、機器Ｂの状態がＯＦＦでなければならないこと）を示す。
【００２２】
次に、監視制御システムの動作について説明する。
各監視制御装置１の監視情報受信部１１は、受変電設備３を構成する各機器の動作状態や、受変電設備３に備えられた各計器の計測値など、監視制御対象の受変電設備３の運転状態についての通知を随時受信する。各監視制御装置１のログ管理部１３は、監視情報受信部１１が運転状態の通知を受信すると、受信した通知が示す運転状態と、通知の受信時刻とを設定したイベントデータをログ記憶部１２が記憶しているログデータに書き込む。また、各監視制御装置１のログ管理部１３は、操作実行部１５３が監視員の入力に従って操作を実行すると、実行された操作と、操作の実行時刻とを設定したイベントデータをログ記憶部１２が記憶しているログデータに書き込む。
【００２３】
支援情報提供装置５の支援情報記憶部５２には、トラブルデータと、各受変電設備３に適用する操作条件データと、各受変電設備３の受変電設備構成データとを登録しておく。トラブルデータは、トラブルの発生後に、監視員が支援情報提供装置５に登録する。例えば、監視員は、監視制御装置１の操作入力部１４により、トラブルが発生した受変電設備３または受変電設備３の系統を特定する情報と、トラブルの内容及び重大度と、注意事項とを入力する。さらに、監視員は、操作入力部１４により、ログ記憶部１２に記憶されているログデータから、トラブルの発生に関連するイベントデータを選択する。監視制御装置１は、入力された受変電設備３または受変電設備３の系統を特定する情報、トラブルの内容及び重大度、ならびに、注意事項と、選択されたイベントデータを含んだトラブルログデータとを設定したトラブルデータを支援情報提供装置５に送信する。支援情報提供装置５は、受信したトラブルデータを支援情報記憶部５２に登録する。なお、監視制御装置１が自動でトラブルデータを生成し、支援情報提供装置５に登録してもよい。
【００２４】
図９は、監視制御システムの処理を示すフロー図である。
監視員は、監視制御装置１の操作入力部１４により、操作対象の受変電設備３の系統図を表示させるための指示を入力する。系統が複数ある場合、監視員は操作入力部１４により、操作対象の系統を特定する情報をさらに入力する。表示制御部１５１は、操作対象の受変電設備３の指定された系統の系統図を表示部１７に表示させる。このとき、表示制御部１５１は、監視情報受信部１１が受信した通知が示す各機器の動作状態に基づいて、各機器の動作状態も表示部１７に表示させる。
【００２５】
監視員は、操作入力部１４により操作対象の機器を選択する（ステップＳ１１０）。操作予測部１５２は、選択された機器に対して実行され得る操作を予測する（ステップＳ１２０）。例えば、操作予測部１５２は、選択された機器の状態が現在「入（ＯＮ）」であれば、選択された機器に対する切（ＯＦＦ）操作を予測操作と判断し、選択された機器の状態が現在「切（ＯＦＦ）」であれば、選択された機器に対する入（ＯＮ）操作を予測操作と判断する。操作予測部１５２は、操作対象の受変電設備３または操作対象の受変電設備３の系統と、予測操作とを設定した支援情報要求を支援情報提供装置５に通知する。
【００２６】
支援情報提供装置５の類似設備選択部５３１は、監視制御装置１から支援情報要求を受信する。類似設備選択部５３１は、受信した支援情報要求に設定されている操作対象の受変電設備３または操作対象の受変電設備３の系統に類似した他の受変電設備３または他の受変電設備３の系統を選択する（ステップＳ１３０）。
【００２７】
例えば、支援情報記憶部５２に、各受変電設備３に類似する他の受変電設備３や、各受変電設備３の系統それぞれに類似する他の受変電設備３の系統を示す類似設備情報を予め登録しておく。類似設備選択部５３１は、支援情報記憶部５２に記憶されている類似設備情報から、操作対象の受変電設備３や操作対象の受変電設備３の系統に類似した他の受変電設備３や他の受変電設備３の系統を読み出す。
【００２８】
また、例えば、類似設備選択部５３１は、支援情報記憶部５２に記憶されている受変電設備構成データを参照し、操作対象の受変電設備３または操作対象の受変電設備３の系統に類似した他の受変電設備３または他の受変電設備３の系統を選択する。
具体的には、類似設備選択部５３１は、操作対象の受変電設備３と系統数が類似している他の受変電設備３を類似した受変電設備３として判断する。そこで、類似設備選択部５３１は、操作対象の受変電設備３と他の受変電設備３とが両方１とも系統である場合、あるいは、両方とも複数系統である場合に類似と判断する。もしくは、類似設備選択部５３１は、制御対象の受変電設備３が複数系統である場合、系統数の差異が所定以内の複数系統の他の受変電設備３を類似と判断する。
【００２９】
また、類似設備選択部５３１は、操作対象の受変電設備３の系統と装置構成が類似している他の受変電設備３の系統を、類似した他の受変電設備３の系統と判断する。具体的には、類似設備選択部５３１は、操作対象の受変電設備３の系統と、機器の種類毎（遮断器、断路器、変圧器など）の機器数の差異が所定以内である他の受変電設備３の系統を類似と判断する。あるいは、類似設備選択部５３１は、操作対象の受変電設備３の系統と、同じ接続順の機器群の数が所定以上である他の受変電設備３の系統を類似と判断する。具体的な例として、操作対象の受変電設備３の系統において、種類Ｔ１の機器、種類Ｔ２の機器、種類Ｔ３の機器が順に接続され、他の受変電設備３の系統において、種類Ｔ１の機器、種類Ｔ２の機器、種類Ｔ４の機器、種類Ｔ３の機器が順に接続されているとする。この場合、種類Ｔ１の機器と種類Ｔ２の機器は接続順が同一の機器群である。また、種類Ｔ１の機器、種類Ｔ２の機器、種類Ｔ３の機器に注目し、間に他の機器が挿入されていても、これらの機器の接続順が同一の機器群と判断してもよい。
類似設備選択部５３１は、種類毎の機器数と機器の接続順の両者またはいずれかに基づいて類似を判断する。
【００３０】
出力情報選択部５３２は、支援情報記憶部５２に記憶されているトラブルデータの中から、操作対象の受変電設備３、類似と判断された他の受変電設備３または他の受変電設備３の系統がトラブル発生個所に設定されたトラブルデータを特定する。さらに、出力情報選択部５３２は、特定したトラブルデータの中から、支援情報要求に設定されている予測操作と同一の操作がトラブルログデータに設定されているトラブルデータを選択する（ステップＳ１４０）。なお、出力情報選択部５３２は、操作対象の機器が同一の種類であり、同一の動作状態への遷移を指示する操作であれば、同一操作と判断する。出力情報選択部５３２は、操作対象の機器の種類を支援情報記憶部５２に記憶されている受変電設備構成データから読み出してもよい。
【００３１】
出力情報選択部５３２は、選択されたトラブルデータが監視制御装置１の表示上限数より多いか否かを判断する（ステップＳ１５０）。表示上限数は、画面に表示可能な支援情報の上限数である。出力情報選択部５３２は、選択されたトラブルデータが表示上限数以下であると判断した場合（ステップＳ１５０：ＮＯ）、後述するステップＳ１９０以降の処理を実行する。一方、出力情報選択部５３２は、選択されたトラブルデータが表示上限数より多いと判断した場合（ステップＳ１５０：ＹＥＳ）、現在選択されているトラブルデータの中からログが類似しているトラブルデータを選択する（ステップＳ１６０）。
【００３２】
そこでまず、出力情報選択部５３２は、最新のイベントデータから、予め決められた時間分遡ったイベントデータまでを含んだログデータを監視制御装置１に要求する。あるいは、出力情報選択部５３２は、最新のイベントデータから、トラブルログデータに対応する時間に所定の係数を乗算した時間分遡ったイベントデータまでを含んだログデータを、支援情報要求元の監視制御装置１に要求する。トラブルログデータに対応する時間は、トラブルログデータに含まれる最初のイベントデータの時刻と最後のイベントデータの時刻との差分によって算出される。監視制御装置１のログ管理部１３は、要求されたログデータをログ記憶部１２から読み出して支援情報提供装置５に返送する。支援情報提供装置５の出力情報選択部５３２は、受信したログデータに、現在の時刻または現在の時刻より所定だけ経過した時刻に予測操作を行ったことを示すイベントデータを加えて予測ログデータを生成する。出力情報選択部５３２は、現在選択されているトラブルデータそれぞれについて、トラブルログデータと予測ログデータとの類似を判断する。
【００３３】
ログの類似を判断するため、まず、出力情報選択部５３２は、トラブルログデータに含まれる各イベントデータについて、対象機器の種類と、それら対象機器間の接続関係を、支援情報記憶部５２に記憶されている受変電設備構成データから読み出す。同様に、出力情報選択部５３２は、予測ログデータに含まれる各イベントデータについて、対象機器の種類と、それら対象機器間の接続関係を、支援情報記憶部５２に記憶されている受変電設備構成データから読み出す。イベントデータの対象機器は、イベントデータが機器に対する操作であれば、その操作対象の機器であり、イベントデータが機器の運転状態を示す場合は、その運転状態が検出された機器である。接続関係は、上位に接続される機器、下位に接続される機器、同じ階層に接続される機器などである。
【００３４】
出力情報選択部５３２は、トラブルログデータと予測ログデータの類似を、同一操作の数、同じ順番の複数の同一操作の数、同じ順番の複数の同一操作の操作間隔の類似性、同一操作時の運転状態の類似などにより判断する。具体的には、出力情報選択部５３２は、同じ種類の操作対象の機器に対して同じ状態への遷移を指示する操作を同一操作と判断する。また、出力情報選択部５３２は、複数の同一操作については、それらの操作対象の機器の接続関係の同一性までを類似の判断に用いる。例えば、トラブルログデータと予測ログデータに、種類Ｔ１の機器をＯＮにする操作の後、種類Ｔ１の機器の上位の種類Ｔ２の機器をＯＦＦにする操作を行ったことを示すイベントデータが含まれているとする。この場合、出力情報選択部５３２は、同じ順番の複数の同一操作と判断する。種類Ｔ１の機器をＯＮにする操作から、種類Ｔ１の機器の上位の種類Ｔ２の機器をＯＦＦにする操作を行う間に他の操作のイベントデータが含まれてもよい。さらに、出力情報選択部５３２は、トラブルログデータと予測ログデータとの間で、種類Ｔ１の機器をＯＮにする操作を行ってから、種類Ｔ１の機器の上位の種類Ｔ２の機器をＯＦＦにする操作を行うまでの時間が近いほど類似性が高いと判断する。また、例えば、トラブルログデータと予測ログデータとに、種類Ｔ１の機器をＯＮにする操作の後、その機器と接続関係が同じ計測器において異常な電圧を検出したことを示すイベントデータが設定されているとする。この場合、出力情報選択部５３２は、同一操作時の運転状態の類似性が高いと判断する。
出力情報選択部５３２は、類似性が所定よりも高いトラブルログデータが含まれるトラブルデータを選択する。
【００３５】
出力情報選択部５３２は、ログの類似性に基づいて選択したトラブルデータが表示上限数よりも多いか否かを判断する（ステップＳ１７０）。出力情報選択部５３２は、選択したトラブルデータが表示上限数以下であると判断した場合（ステップＳ１７０：ＮＯ）、後述するステップＳ１９０以降の処理を実行する。一方、出力情報選択部５３２は、ログの類似性に基づいて選択したトラブルデータが表示上限数よりも多いと判断した場合（ステップＳ１７０：ＹＥＳ）、それらのトラブルデータの中から重大度に基づいてトラブルデータを選択する（ステップＳ１８０）。具体的には、出力情報選択部５３２は、ログの類似性に基づいて選択したトラブルデータの中から、重大度が高い順に表示上限数のトラブルデータを選択する。
【００３６】
出力情報選択部５３２は、支援情報要求の送信元の受変電設備３について支援情報記憶部５２が記憶している操作条件データから、予測操作に対応したインターロック条件を読み出す（ステップＳ１９０）。出力情報選択部５３２は、選択したトラブルデータと、予測操作に対応して読み出したインターロック条件とを含んだ支援情報を監視制御装置１に送信する。出力情報選択部５３２は、支援情報に、トラブルデータに設定されているトラブルの内容、トラブルの重大度、注意事項、トラブルログデータなどの一部の情報のみを設定してもよい。監視制御装置１の表示制御部１５１は、受信した支援情報を表示部１７に表示させる（ステップＳ２００）。すなわち、表示制御部１５１は、支援情報に設定されているトラブルデータに含まれるトラブルの内容、トラブルの重大度、注意時刻、及びトラブルログデータを表示部１８に表示させる。さらに、表示制御部１５１は、支援情報に設定されているインターロック条件を表示部１７に表示させる。
【００３７】
図１０は、支援情報の表示例を示す図である。同図では、監視員が、図４に示す系統図において、操作対象の機器７１を選択した場合の例を示す。機器７１は「入（ＯＮ）」状態であるため、操作予測部１５２は、機器７１の「切（ＯＦＦ）」操作を予測する。表示制御部１５１は、この予測された操作の実行を指示するための操作ボタン７２を表示させる。表示制御部１５１は、ポップアップ画面７３に、予測された操作に応じて支援情報提供装置５が選択したトラブルデータの一部の情報と、予測された操作に応じたインターロック条件を表示する。
【００３８】
図９において、監視員は、操作入力部１４により操作ボタン７２を選択するなどして、操作の実行を指示する（ステップＳ２１０）。操作実行部１５３は、ログ記憶部１２に記憶されているログデータを参照し、実行が指示された操作がインターロック条件を満たすか否かを判断する（ステップＳ２２０）。操作実行部１５３は、インターロック条件を満たすと判断した場合（ステップＳ２２０：ＹＥＳ）、指示された操作を実行する（ステップＳ２３０）。操作実行部１５３は、インターロック条件を満たさない判断した場合（ステップＳ２２０：ＮＯ）、エラーを出力する（ステップＳ２４０）。
なお、ステップＳ２００の処理の後、監視員が他の機器を選択した場合、監視制御装置１は、ステップＳ１１０からの処理を実行する。
また、支援情報提供装置５は、ステップＳ１６０において重大度に基づいてトラブルデータを選択し、ステップＳ１８０においてログが類似しているトラブルデータを選択してもよい。
【００３９】
上記実施形態によれば、監視員が受変電設備の機器を操作する際に、操作対象の受変電設備や類似した受変電設備において同様の操作を行ったときに発生したトラブルの情報と、そのトラブルが発生したときの動作状態を表示する。よって、監視員に、これから行う操作によって発生し得るトラブルについて注意を喚起することができる。また、上記実施形態によれば、操作を実行するための条件を提示し、監視員に必要な操作のうちまだ行っていない操作を実行するよう促すことができる。
【００４０】
以上説明した少なくともひとつの実施形態によれば、支援情報提供装置が出力情報選択部を持つことにより、また、監視制御装置が操作予測部及び出力部を持つことにより、監視員が受変電設備の機器を操作する際に操作を支援する情報を提示し、監視員の負担や操作ミスを減少させることができる。
【００４１】
上述した実施形態における監視制御装置１及び支援情報提供装置５の機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１…監視制御装置、３…受変電設備、５…支援情報提供装置、９…通信ネットワーク、１１…監視情報受信部、１２…ログ記憶部、１３…ログ管理部、１４…操作入力部、１５…制御部、１６…通信部、１７…表示部、５１…通信部、５２…支援情報記憶部、５３…支援情報提供部、１５１…表示制御部、１５２…操作予測部、１５３…操作実行部、５３１…類似設備選択部、５３２…出力情報選択部
【図１】
2016025749.tif 000003
【図２】
2016025749.tif 000004
【図３】
2016025749.tif 000005
【図４】
2016025749.tif 000006
【図５】
2016025749.tif 000007
【図６】
2016025749.tif 000008
【図７】
2016025749.tif 000009
【図８】
2016025749.tif 000010
【図９】
2016025749.tif 000011
【図１０】
2016025749.tif 000012